(57)【要約】【課題】防波堤や桟橋等の海上構造物を支持するための基礎杭を、容易に且つ高精度で海底地盤に打設することができて、低コストで且つ短い工期で多数の基礎杭を打設して海上構造物の構築を行うことを可能とすること。【解決手段】防波堤や桟橋等の海上構造物を支持するための基礎杭を打設するための基礎杭打設ガイドであって、上下に間隔をあけて互いに平行に設けられた上部ガイド部材及び下部ガイド部材と、これら上下ガイド部材を接続する接続部材とが分離可能に一体化されてなり、前記上下ガイド部材は杭の外周面を支持可能な杭ガイド部を備えるとともに、これら杭ガイド部の内面には杭の外周面に当接して回転するガイドローラが設けられてなる高精度基礎杭打設ガイド。【選択図】　図２１
2004019213.tif 000002
【特許請求の範囲】
【請求項１】
防波堤や桟橋等の海上構造物を支持するための基礎杭を打設するための基礎杭打設ガイドであって、上下に間隔をあけて互いに平行に設けられた上部ガイド部材及び下部ガイド部材と、これら上下ガイド部材を接続する接続部材とが分離可能に一体化されてなり、前記上下ガイド部材は杭の外周面を支持可能な杭ガイド部を備えるとともに、これら杭ガイド部の内面には杭の外周面に当接して回転するガイドローラが設けられてなることを特徴とする高精度基礎杭打設ガイド。
【請求項２】
前記上下ガイド部材に設けられた杭ガイド部は、杭の外周面を四方向から支持可能な四角形状に形成されるとともに、これら上下ガイド部材の杭ガイド部において支持される杭の中心が、平面視において同一位置となるように構成されていることを特徴とする請求項１記載の高精度基礎杭打設ガイド。
【請求項３】
前記上下ガイド部材に設けられた杭ガイド部は、杭の外周面を三方向から支持可能な平面視コの字状に形成されるとともに、これら上下ガイド部材の杭ガイド部において支持される杭の中心が、平面視においてずれた位置となるように構成されていることを特徴とする請求項１記載の高精度基礎杭打設ガイド。
【請求項４】
前記杭ガイド部が、接続部材を挟んで上下ガイド部材の各両端部に形成されてなることを特徴とする請求項１又は２記載の高精度基礎杭打設ガイド。
【請求項５】
前記杭ガイド部が、接続部材を挟んで上下ガイド部材の各両端部に形成されるとともに、互いに逆方向に且つ外方向に向けて開放されてなることを特徴とする請求項３記載の高精度基礎杭打設ガイド。
【請求項６】
前記接続部材の両端部には他の杭打設ガイドの接続部材との連結を可能とする連結部が設けられてなることを特徴とする請求項１乃至５いずれかに記載の高精度基礎杭打設ガイド。
【請求項７】
前記接続部材の両端面が、複数の杭打設ガイドを連結部において連結したときに、連結された複数の杭打設ガイドが平面視において円弧状に並ぶように傾斜面に形成されてなることを特徴とする請求項６記載の高精度基礎杭打設ガイド。
【請求項８】
一の接続部材と他の接続部材の連結部間に介装可能な平面視三角形状又は台形状のスペーサーを備えてなることを特徴とする請求項６記載の高精度基礎杭打設ガイド。
【請求項９】
前記上部ガイド部材の杭ガイド部に設けられたガイドローラが合成樹脂製とされてなることを特徴とする請求項１乃至８いずれかに記載の高精度基礎杭打設ガイド。
【請求項１０】
前記上部ガイド部材の杭ガイド部に対向して設けられた一対のガイドローラが、回転軸方向の一端部を支点として互いに離反する方向へと回動可能に構成されてなることを特徴とする請求項１乃至９いずれかに記載の高精度基礎杭打設ガイド。
【請求項１１】
防波堤や桟橋等の海上構造物を支持するための基礎杭を連続して打設するための基礎杭打設工法であって、杭の外周面を少なくとも三方向から支持可能な杭ガイド部を上下にもつ杭打設ガイドを、最初に打設された杭の上方部分に前記上下のガイド部を該杭の外周面に当接させて杭打設ガイドを固定し、次いで該固定された杭打設ガイドの側部に第二の杭打設ガイドを連結し、該第二の杭打設ガイドの上下の杭ガイド部に沿って新たに杭を打設し、さらに該第二の杭打設ガイドの側部に第三の杭打設ガイドを連結し、該第三の杭打設ガイドの上下の杭ガイド部に沿って新たに杭を打設するという工程を繰り返すことにより、杭を連続して打設することを特徴とする基礎杭打設工法。
【発明の詳細な説明】
【０００１】
【発明の属する技術分野】
本発明は、海上に桟橋、空港、防波堤、橋脚等の構造物を構築する際において、直杭や斜杭等の基礎杭を精度良く打設することができる高精度基礎杭打設ガイド及びこれを用いた打設工法に関する。
【０００２】
【従来の技術】
従来より、海上に桟橋、空港、防波堤、橋脚等の構造物を構築する場合に、鋼管からなる基礎杭を海底の地盤に打ち込んで、その上に構造物を構築する方法が知られている。
このような構築方法においては、基礎杭上に設けられる上部構造物のプレキャスト化やハイブリッド化といった高精度化、高効率化（軽量化、特殊形状化）の進展に伴い、基礎杭にも高い打ち込み精度が求められるようになっている。
【０００３】
従来、基礎杭の打設位置を精度良く定める方法としては、例えばＧＰＳを利用して１本づつ位置を計測しながら杭を打ち込む方法が使用されている。
しかしながら、このような従来の方法は、杭頭で杭の位置を管理するために、杭頭が海中に殆ど没してしまう満潮時においては位置管理が困難であった。
また、海中に没している部分は管理できないため、海中に没している部分が曲がっていてもこれを把握できなかった。特に、杭は自重による撓みによって曲がるため、杭頭が精度良く位置決めされても、海中に没している部分は位置がばらついていることが多かった。
このように、例え杭頭が精度良く位置管理されていても、杭頭より下の部分が曲がっていると、打設された基礎杭上にプレキャストブロックを入れることが困難となり、上述したような上部構造物のプレキャスト化やハイブリッド化に対応できない。
【０００４】
また、従来は海上構造物の構築において専ら直杭が用いられていたが、近年では地震等の水平方向に作用する力に強い構造が得られるという理由により、地盤に対して傾斜して打設する斜杭が用いられることが多い。
斜杭の打設に際しては、複数本の直杭を導杭として打設し、打設された導杭を基準として本杭となる斜杭を打設するという方法があるが、このような方法では１本の本杭を打設するために複数本の導杭を必要とし、しかも本杭を精度良く打設するためには導杭にも高い位置精度が求められるため、極めて作業効率が悪かった。
また、他の代表的な杭打工法としては、いわゆるジャケット工法が存在しているが、ジャケット工法を使用した場合、作業に時間がかかり工期が長くなる上に、例えば斜杭を逆Ｖ字状に打設する場合、打設された斜杭からパイプを引き抜いて転用することができないという問題がある。
このことは、構築される構造物が小さくて打設される斜杭の本数が少ない場合には左程問題とならないが、数百本の斜杭を打設する必要がある防波堤等の構築においては、コスト面で莫大な無駄が生じてしまう。
このように、ジャケット工法は時間と費用の面で採用できないことが多いのが実情であった。
【０００５】
【発明が解決しようとする課題】
本発明はかかる実情に鑑みてなされたものであって、防波堤や桟橋等の海上構造物を支持するための基礎杭を、容易に且つ高精度で海底地盤に打設することができて、低コストで且つ短い工期で多数の基礎杭を打設して海上構造物の構築を行うことを可能とする高精度基礎杭打設ガイド及びこれを用いた打設工法を提供せんとするものである。
【０００６】
【課題を解決するための手段】
請求項１に係る発明は、防波堤や桟橋等の海上構造物を支持するための基礎杭を打設するための基礎杭打設ガイドであって、上下に間隔をあけて互いに平行に設けられた上部ガイド部材及び下部ガイド部材と、これら上下ガイド部材を接続する接続部材とが分離可能に一体化されてなり、前記上下ガイド部材は杭の外周面を支持可能な杭ガイド部を備えるとともに、これら杭ガイド部の内面には杭の外周面に当接して回転するガイドローラが設けられてなることを特徴とする高精度基礎杭打設ガイドに関する。
請求項２に係る発明は、前記上下ガイド部材に設けられた杭ガイド部は、杭の外周面を四方向から支持可能な四角形状に形成されるとともに、これら上下ガイド部材の杭ガイド部において支持される杭の中心が、平面視において同一位置となるように構成されていることを特徴とする請求項１記載の高精度基礎杭打設ガイドに関する。
【０００７】
請求項３に係る発明は、前記上下ガイド部材に設けられた杭ガイド部は、杭の外周面を三方向から支持可能な平面視コの字状に形成されるとともに、これら上下ガイド部材の杭ガイド部において支持される杭の中心が、平面視においてずれた位置となるように構成されていることを特徴とする請求項１記載の高精度基礎杭打設ガイドに関する。
請求項４に係る発明は、前記杭ガイド部が、接続部材を挟んで上下ガイド部材の各両端部に形成されてなることを特徴とする請求項１又は２記載の高精度基礎杭打設ガイドに関する。
請求項５に係る発明は、前記杭ガイド部が、接続部材を挟んで上下ガイド部材の各両端部に形成されるとともに、互いに逆方向に且つ外方向に向けて開放されてなることを特徴とする請求項３記載の高精度基礎杭打設ガイドに関する。
請求項６に係る発明は、前記接続部材の両端部には他の杭打設ガイドの接続部材との連結を可能とする連結部が設けられてなることを特徴とする請求項１乃至５いずれかに記載の高精度基礎杭打設ガイドに関する。
【０００８】
請求項７に係る発明は、前記接続部材の両端面が、複数の杭打設ガイドを連結部において連結したときに、連結された複数の杭打設ガイドが平面視において円弧状に並ぶように傾斜面に形成されてなることを特徴とする請求項６記載の高精度基礎杭打設ガイドに関する。
請求項８に係る発明は、一の接続部材と他の接続部材の連結部間に介装可能な平面視三角形状又は台形状のスペーサーを備えてなることを特徴とする請求項６記載の高精度基礎杭打設ガイドに関する。
請求項９に係る発明は、前記上部ガイド部材の杭ガイド部に設けられたガイドローラが合成樹脂製とされてなることを特徴とする請求項１乃至８いずれかに記載の高精度基礎杭打設ガイドに関する。
請求項１０に係る発明は、前記上部ガイド部材の杭ガイド部に対向して設けられた一対のガイドローラが、回転軸方向の一端部を支点として互いに離反する方向へと回動可能に構成されてなることを特徴とする請求項１乃至９いずれかに記載の高精度基礎杭打設ガイドに関する。
【０００９】
請求項１１に係る発明は、防波堤や桟橋等の海上構造物を支持するための基礎杭を連続して打設するための基礎杭打設工法であって、杭の外周面を少なくとも三方向から支持可能な杭ガイド部を上下にもつ杭打設ガイドを、最初に打設された杭の上方部分に前記上下のガイド部を該杭の外周面に当接させて杭打設ガイドを固定し、次いで該固定された杭打設ガイドの側部に第二の杭打設ガイドを連結し、該第二の杭打設ガイドの上下の杭ガイド部に沿って新たに杭を打設し、さらに該第二の杭打設ガイドの側部に第三の杭打設ガイドを連結し、該第三の杭打設ガイドの上下の杭ガイド部に沿って新たに杭を打設するという工程を繰り返すことにより、杭を連続して打設することを特徴とする基礎杭打設工法に関する。
【００１０】
【発明の実施の形態】
以下、本発明に係る高精度基礎杭打設ガイド及びこれを用いた杭打設工法の好適な実施形態について、図面を参照しつつ説明する。
図１及び図２はそれぞれ本発明に係る高精度基礎杭打設ガイドの第一実施形態を示す正面図及び側面図である。
第一実施形態の杭打設ガイド（１）は、上下に間隔をあけて互いに平行に設けられた上部ガイド部材（２）及び下部ガイド部材（３）と、これら上下ガイド部材（２）（３）を接続する接続部材（４）とから構成され、これらの部材は互いに分離可能に連結一体化されている。尚、この構成は本発明の杭打設ガイドに共通する構成である。
【００１１】
図３及び図４はそれぞれ上部ガイド部材（２）の平面図及び正面図である。また、図５及び図６はそれぞれ下部ガイド部材（３）の平面図及び正面図である。上部ガイド部材（２）及び下部ガイド部材（３）は、互いに平行に設けられた２本の側方ガイド梁（５）と、これら２本の側方ガイド梁（５）と直角方向に、且つ互いに平行に設けられた２本の内方ガイド梁（６）とを備えており、内方ガイド梁（６）は２本の側方ガイド梁（５）を連結するように側方ガイド梁（５）の上面に接続されている。
【００１２】
上部ガイド部材（２）及び下部ガイド部材（３）の長さ方向中心には、２本の側方ガイド梁（５）と２本の内方ガイド梁（６）とから構成される平面視正方形状の杭ガイド部（７）が形成されている。
この杭ガイド部（７）は、図中に仮想線で示す如く、杭（Ｋ）を前後左右の四方向から支持することで、杭打設時におけるガイドの役割を果たす部分である。
【００１３】
上下ガイド部材（２）（３）に設けられた杭ガイド部（７）は、これら杭ガイド部（７）において支持される杭（Ｋ）の中心が、平面視において同一位置となるように構成されている。
そのため、図７に示すように、杭（Ｋ）を上下ガイド部材（２）（３）の杭ガイド部（７）に挿通させて打設することで、直杭を精度良く打設することができる。
【００１４】
尚、内方ガイド梁（６）は側方ガイド梁（５）に対してボルトにより固定されているが、側方ガイド梁（５）には長さ方向に沿って等ピッチで多数のボルト孔（９）が穿設されている。
これにより、ボルトを螺合させるボルト孔を変更することで内方ガイド梁（６）の位置を側方ガイド梁（５）の長さ方向に沿って変更することができる。
【００１５】
上部ガイド部材（２）及び下部ガイド部材（３）の杭ガイド部（７）を構成する側方ガイド梁（５）と内方ガイド梁（６）の内面には、打設される杭を上下方向（打設方向）に案内するガイドローラ（８）が取り付けられている。
ガイドローラ（８）は、取り付けられたガイド梁に平行な回転軸を有する円筒からなり、杭を杭ガイド部（７）に挿通する際に杭の外周面に当接して回転することで、杭を傷つけることなくスムーズに案内する役割を果たす。
【００１６】
図８及び図９はそれぞれ本発明に係る杭打設ガイドの第二実施形態を示す正面図及び側面図である。また、図１０及び図１１はそれぞれ上部ガイド部材（２）の平面図及び正面図、図１２及び図１３はそれぞれ下部ガイド部材（３）の平面図及び正面図である。
第二実施形態の杭打設ガイド（１）の基本構成は上記第一実施形態のものと同じであるため、同じ構成には同じ符号を付して説明を省略し、以下異なる構成についてのみ説明する。
上記した第一実施形態の杭打設ガイドが直杭打設用のガイドであったのに対し、第二実施形態の杭打設ガイドは斜杭打設用のガイドであり、そのため第二実施形態の杭打設ガイドは杭を斜めに支持しガイドするための構成が取り入れられている。
【００１７】
第二実施形態の杭打設ガイド（１）は、上下ガイド部材（２）（３）に設けられた杭ガイド部（７）が、２本の側方ガイド梁（５）と１本の内方ガイド梁（６）とから構成され、杭（Ｋ）の外周面を三方向から支持可能な平面視コの字状に形成されている。
そして、上部ガイド部材（２）の杭ガイド部（７）と、下部ガイド部材（３）の杭ガイド部（７）において支持される杭（Ｋ）の中心が、平面視においてずれた位置となるように構成されている。
すなわち、図示のごとく、内方ガイド梁（６）の側方ガイド梁（５）に対する固定位置が、上部ガイド部材（２）と下部ガイド部材（３）においてずれた位置にあり、これによって図１４に示す如く、杭（Ｋ）を傾斜した状態で支持することが可能となっている。
【００１８】
図１５及び図１６はそれぞれ本発明に係る杭打設ガイドの第三実施形態を示す正面図及び側面図である。また、図１７及び図１８はそれぞれ上部ガイド部材（２）の平面図及び正面図、図１９及び図２０はそれぞれ下部ガイド部材（３）の平面図及び正面図である。
第三実施形態の杭打設ガイド（１）の基本構成も上記第一及び第二実施形態のものと同じであるため、同じ構成には同じ符号を付して説明を省略し、以下異なる構成についてのみ説明する。
上記した第一及び第二実施形態の杭打設ガイドが杭を一列に打設する単列杭打設用ガイドであったのに対し、第三実施形態の杭打設ガイドは杭を複数列（二列）に逆Ｖ字状に組み合わせて打設する複列杭打設用のガイドである。
【００１９】
第三実施形態の杭打設ガイド（１）は、上下ガイド部材（２）（３）に設けられた杭ガイド部（７）が、２本の側方ガイド梁（５）と１本の内方ガイド梁（６）とから構成され、杭（Ｋ）の外周面を三方向から支持可能な平面視コの字状に形成されている。
そして、この杭ガイド部（７）は、接続部材（４）を挟んで上下ガイド部材（２）（３）の各両端部に形成されるとともに、互いに逆方向に且つ外方向に向けて開放されている。
【００２０】
また、上部ガイド部材（２）の杭ガイド部（７）と、下部ガイド部材（３）の杭ガイド部（７）において支持される杭（Ｋ）の中心が、平面視においてずれた位置となるように構成されている。
この構成は、下部ガイド部材（３）の両端部に設けられた杭ガイド部（７）間の距離（内方ガイド梁（６）間の距離）が、上部ガイド部材（２）の両端部に設けられた杭ガイド部（７）間の距離（内方ガイド梁（６）間の距離）よりも広く設定されることにより達成されている。
【００２１】
このような距離の差をもつ上部ガイド部材（２）と下部ガイド部材（３）とが、接続部材（４）によって上下に間隔をあけて且つ互いに平行に接続されることによって、上部ガイド部材（２）の杭ガイド部（７）の中心と下部ガイド部材（３）の杭ガイド部（７）の中心を結ぶ軸線は、鉛直方向に対して一定の傾斜角度をもつようになる。
【００２２】
具体的には、杭打設ガイド（１）の右端部において、前記軸線は鉛直方向（杭打設ガイドの中心線方向）に対して左に一定角度傾斜し、杭打設ガイド（１）の左端部において、前記軸線は鉛直方向に対して右に一定角度傾斜するようになり、これら左右両端部における軸線は逆Ｖ字形状を呈する。
従って、図中で仮想線に示す如く、斜杭打設ガイド（１）の左右両端部において、上部ガイド部材（２）の杭ガイド部（７）及び下部ガイド部材（３）の杭ガイド部（７）を順次通過するように杭を打った場合、これら左右２本の杭は互いに逆方向に一定角度づつ傾斜して図２１に示すように逆Ｖ字形状に組み合わされた形となる。
尚、上記した一定角度は通常左右共に１５°とされるが、他の角度であってもよく、また場合によっては左右で異なる傾斜角度とすることも可能である。
【００２３】
また、内方ガイド梁（６）は側方ガイド梁（５）に対してボルトにより固定されているが、側方ガイド梁（５）には長さ方向に沿って等ピッチで多数のボルト孔（９）が穿設されている。
そのため、ボルトを螺合させるボルト孔を変更することで内方ガイド梁（６）の位置を側方ガイド梁（５）の長さ方向に沿って変更することができ、これにより打設される斜杭の傾斜角度を変更することが可能となる。
【００２４】
尚、図示していないが、この第三実施形態において、上部ガイド部材（２）の杭ガイド部（７）と、下部ガイド部材（３）の杭ガイド部（７）において支持される杭（Ｋ）の中心を平面視において同一位置となるようにすると、直杭を複数列（二列）で精度良く打設することが可能となる。このとき、杭ガイド部（７）は四角形状に形成するとよい。
【００２５】
本発明の全ての実施形態において、ガイドローラ（８）を構成する素材は特に限定されず、例えば金属のパイプ等から構成することができるが、上下のガイド部材に設けられたガイドローラ（８）のうち、上部ガイド部材（２）に設けられたガイドローラ（８）については合成樹脂製とすることが好ましい。
これは、海上に打設される斜杭は、酸素が多い海面付近において錆び易いため、海面付近部分の外面に防食塗装が施されているのが普通であるが、ガイドローラ（８）が金属製であると外面がガイドローラ（８）に擦れることによって防食塗装が剥げてしまうおそれがあるためである。尚、一部の図（図１８，２０，２１）においては、杭の防食塗装が施された部分（Ｂ）を示している。
尚、上部ガイド部材（２）の一端側に設けられたガイドローラ（８）のみを合成樹脂製とすることもできる。このような構成は、例えば、ガイド部材の一端側に打設される斜杭のみが海面付近において露出し、他端側に打設される杭は海面付近がコンクリートブロック等で覆われるために防食塗装が不要となる場合に採用することができる。
【００２６】
また、本発明の全ての実施形態において、上部ガイド部材（２）の杭ガイド部（７）の側方ガイド梁（５）に対向して設けられた一対のガイドローラ（８）を、該ローラの回転軸方向の一端部を支点として互いに離反する方向へと回動可能とする構成も好適に採用できる。
この構成を採用することにより、杭（Ｋ）を杭ガイド部（７）に挿通させる際において、図１７中に仮想線に示す如く、対向する一対のガイドローラ（８）を互いに離反する方向へと回動させておくことで、杭の外面がガイドローラ（８）に擦れて防食塗装が剥げてしまうのを防ぐことができる。
尚、この構成についても、上記した合成樹脂製とする場合と同様の理由により、上部ガイド部材（２）の一端側に設けられたガイドローラ（８）のみに適用することができ、図示例においてはかかる構成が採用されている。
【００２７】
図２２乃至図２４はそれぞれ、本発明の全ての実施形態の杭打設ガイド（１）において使用される接続部材（４）の正面図、平面図、側面図である。
接続部材（４）はチャンネル鋼やＨ形鋼を直方体状に組み合わせて補強用の斜め材を接続した枠組体から形成されている。この接続部材（４）の上面及び下面には貫通孔（１１）が穿設されており、この貫通孔（１１）を利用して、仮想線に示す如く、接続部材（４）の上面に後述する上部ガイド部材（２）の連結部（１３）を、接続部材（４）の下面に後述する下部ガイド部材（３）の連結部（１３）を、それぞれボルトで接続固定することができる。
貫通孔（１１）は、接続部材（４）の長さ方向に沿って等ピッチで多数設けられており、側方ガイド梁（５）を固定する貫通孔（１１）を変更することにより、前後の側方ガイド梁（５）の間隔を変更することができる。これによって、様々な径の杭に対応することが可能となる。
【００２８】
また、接続部材（４）の左右両側面の上部及び下部には複数の貫通孔（１２）が設けられており、これらの貫通孔（１２）にボルトを挿通してナットを螺着することにより、接続部材（４）の側面に他の杭打設ガイドの接続部材を密接して連結することができる。
これによって、複数の杭打設ガイド（１）を連続して連結することが可能となる。
【００２９】
本発明の全ての実施形態の杭打設ガイド（１）における上部ガイド部材（２）及び下部ガイド部材（３）は、各側方ガイド梁（５）の中央に互いに離反する方向に延出された接続部材（４）との連結部（１３）を備えている。これらの連結部（１３）は、複数のボルト孔（１４）を有しており、接続部材（４）の貫通孔（１１）と重ねてボルトを螺合することによって、上部ガイド部材（２）と下部ガイド部材（３）の間に接続部材（４）を連結固定することができる。
また、上部ガイド部材（２）及び下部ガイド部材（３）の側方ガイド梁（５）の外面（ガイドローラ（８）と反対側の面）には、エキスパンドメタル板からなる作業ステージ（１０）が設けられている。
【００３０】
尚、複数の杭打設ガイド（１）を連続して連結する場合に、連結される接続部材（４）間にスペーサーを介在させることによって、杭打設ガイド（１）同士の間隔を調節することも可能である。
図２５乃至図２７はそれぞれスペーサー（１９）の正面図、平面図、側面図である。スペーサー（１９）の左右両側面の上部及び下部には複数の貫通孔（２０）が設けられており、これらの貫通孔（２０）を接続部材（４）の貫通孔（１２）と合致させてボルトを挿通してナットを螺合することにより、接続部材（４）とスペーサー（１９）を連結することができる。
【００３１】
以下、本発明に係る杭打設ガイド（１）を利用した杭打設工法について、第三実施形態の杭打設ガイドを使用して、海上に防波堤を構築する場合を例として説明する。
先ず、最初に打設する少なくとも２本の杭については、従来使用されている方法、例えばＧＰＳを利用した位置管理によって、２本の斜杭を逆Ｖ字状に組み合わせて精度良く打設する。尚、第一及び第二実施形態の杭打設ガイドを使用する場合は、杭が単列となるので最初に打設する杭は１本でもよい。
次いで、打設された２本の斜杭の上方部分に杭打設ガイド（１）を図２１に示すように、即ち上下のガイド部材の両端部に設けられた杭ガイド部（７）で斜杭の外周面を三方向から支持するようにして固定する。
この固定は、各杭ガイド部（７）に固定されたブラケット（１５）を現場にて斜杭の外面に溶接することによって行うことができ、具体的には先ず上部ガイド部材（２）を固定した後、その下部に接続部材（４）を接続し、次いで接続部材（４）の下方に下部ガイド部材（３）を接続することによって行うことができる。また、固定の際には、必要に応じて内方ガイド梁（６）を側方ガイド梁（５）から取り外せばよい。
【００３２】
次いで、この固定された第一の杭打設ガイド（１）の接続部材（４）に設けられた貫通孔（１２）を利用して、図２８及び図２９に示すように、第一の杭打設ガイド（１）の側部に第二の杭打設ガイド（１）を一体に連結する。尚、平面図では上方ガイド部材のみを図示している。
そして、この連結された第二の斜杭打設ガイド（１）の杭ガイド部（７）に沿って２本の斜杭を新たに打設して逆Ｖ字状に組み合わせる。
そして、第二の杭打設ガイド（１）の各杭ガイド部（７）に固定されたブラケット（１５）を現場にて斜杭の外面に溶接することによって、第二の杭打設ガイド（１）を打設された斜杭（Ｋ）に固定する（図３０及び図３１参照）。
【００３３】
次いで、この固定された第二の杭打設ガイド（１）の接続部材（４）に設けられた貫通孔（１２）を利用して、第二の杭打設ガイド（１）の側部に第三の杭打設ガイド（１）を一体に連結し（図３２及び図３３参照）、この連結された第三の杭打設ガイド（１）の杭ガイド部（７）に沿って２本の斜杭を新たに打設して逆Ｖ字状に組み合わせる。
上記した工程を繰り返すことによって、逆Ｖ字状に組み合わせた斜杭を連続して打設することができる。
【００３４】
尚、上記した工程において、杭の打設間隔を拡げる場合には、図３４に示すように杭打設ガイド（１）の間にスペーサ−（１９）を介装させるとよい。
また、既に打設された杭に取り付けられた杭打設ガイドを、該杭から取り外し、最後に打設された杭に取り付けられた他の杭打設ガイドに連結して新たに打設される杭用のガイドとして使用すると、使用する杭打設ガイドの数を少なくすることができる。また、必要数の杭の打設が完了した後は、全ての杭打設ガイドを該杭から取り外せばよく、これにより他の現場に転用することができる。
【００３５】
上記したようにして必要数の斜杭の打設が完了すると、図３５及び図３６に示すように、逆Ｖ字状に組み合わせた２本の斜杭のうちの外海側に位置する斜杭の外周面にドーナツ状の受台（１６）を固着し、次いで隣り合う２本の外海側の斜杭を連結するようにコンクリートブロックからなる防波板（１７）を嵌入し、最後に防波板（１７）によって連結された２本の斜杭とこれに対向する２本の斜杭の計４本の杭頭にコンクリート製の基礎ブロック（１８）を嵌入して４本の斜杭を連結する。
これによって、図３７に示すように、４本の斜杭を連結した基礎ブロック（１８）が連続して海面上に形成されるので、基礎ブロック（１８）同士を連結することで防波堤が完成する。尚、図においては、杭（Ｋ）の杭頭が見えるように示している。
【００３６】
尚、上記した例は斜杭を複数列で打設する場合であるが、第一実施形態の杭打設ガイドを使用すると直杭を単列で打設することができ、第二実施形態の杭打設ガイドを使用すると斜杭を単列で打設することができる。
いずれの場合も、基本的には第三実施形態の杭打設ガイドを使用する場合と同じであって、最初に例えばＧＰＳを利用した位置管理によって杭を打設して、この打設された杭に杭打設ガイドを固定した後、この固定された第一の杭打設ガイドに第二の杭打設ガイドを接続して、この第二の杭打設ガイドの杭ガイド部に沿って杭を打設した後、打設された杭に第二の杭打設ガイドを固定し、さらに第二の杭打設ガイドに第三の杭打設ガイドを接続するという一連の工程を繰り返せばよい。
【００３７】
図３８は第一実施形態の杭打設ガイド（１）を接続して２本の直杭（Ｋ）を打設している時の状態を示す平面図であり、この場合には直杭を単列で打設することが可能となる。
また、図３９は第二実施形態の杭打設ガイド（１）を接続して２本の斜杭（Ｋ）を打設している時の状態を示す平面図であり、この場合には反対方向の傾斜をもつ斜杭を交互に打設することが可能となる。
【００３８】
また、本発明においては、杭打設ガイド（１）の接続部材（４）の連結部を構成する両端面を、複数の杭打設ガイド（１）を連結部において連結したときに、連結された複数の杭打設ガイドが平面視において円弧状に並ぶように傾斜面に形成することも可能である。
図４０はこの構成を第一実施形態の杭打設ガイドに適用した例を示す平面図であり、図４１はこの構成を第三実施形態の杭打設ガイドに適用した例を示す平面図である。尚、図示していないが、第二実施形態の杭打設ガイドにも当然適用可能である。
このような構成とすると、例えば、円状或いは直線と円弧が混在配列する橋脚の基礎杭、防衛杭を容易に高精度で打設することが可能となる。
また、接続部材（４）の間に介装されるスペーサ−（１９）を、図４２に示す如く平面視三角形状としたり、或いは平面視台形状とすることによっても同様の効果が得られる。
【００３９】
【発明の効果】
以上説明したように、請求項１に係る発明によれば、防波堤、桟橋、橋脚等の海上構造物を支持するための基礎杭を、容易に且つ高精度で海底地盤に打設することができ、低コストで且つ短い工期で多数の杭を打設して海上構造物の構築を行うことが可能となる。また、杭の打設時において外周面がガイドローラによって支持されるので、杭を傷つけることなくスムーズに案内することが可能となる。
請求項２に係る発明によれば、上下のガイド部材に沿って杭を打ち込むことで、直杭を容易に且つ高精度で海底地盤に打設することができる。
請求項３に係る発明によれば、上下のガイド部材に沿って杭を打ち込むことで、斜杭を容易に且つ高精度で海底地盤に打設することができる。
【００４０】
請求項４に係る発明によれば、杭を複数列に高精度で打設することができる。請求項５に係る発明によれば、杭ガイド部は互いに逆方向に且つ外方向に向けて開放されているので、斜杭を容易に杭ガイド部に沿わせて打設することが可能となり、斜杭を複数列に高精度で打設することができる
請求項６に係る発明によれば、多数の杭を連続して精度良く打設することが可能となり、請求項７及び８に係る発明によれば、杭を円形状、円弧状に並べて打設することが可能となる。
【００４１】
請求項９に係る発明によれば、ガイドローラが合成樹脂製とされているので、摩擦によって杭の外面が傷つきにくく、従って杭の外面に施された防食塗装等が打設時に剥がれるのを防ぐことができる。
請求項１０に係る発明によれば、杭の打設時に対向するガイドローラを互いに離反する方向へと回動させておくことにより、打設時に杭の外面にガイドローラが接触することがなく、杭の外面に施された防食塗装等が打設時に剥がれるのを防ぐことができる。
請求項１１に係る発明によれば、防波堤や桟橋等の海上構造物を支持するための杭を、多数本連続して容易に且つ高精度で海底地盤に打設することができ、低コストで且つ短い工期で海上構造物の構築を行うことが可能となる。
【図面の簡単な説明】
【図１】本発明に係る高精度基礎杭打設ガイドの第一実施形態を示す正面図である。
【図２】本発明に係る高精度基礎杭打設ガイドの第一実施形態を示す側面図である。
【図３】第一実施形態の上部ガイド部材を示す平面図である。
【図４】第一実施形態の上部ガイド部材を示す正面図である。
【図５】第一実施形態の下部ガイド部材を示す平面図である。
【図６】第一実施形態の下部ガイド部材を示す正面図である。
【図７】第一実施形態の杭打設ガイドを使用して直杭を打設する様子を示す図である。
【図８】本発明に係る高精度基礎杭打設ガイドの第二実施形態を示す正面図である。
【図９】本発明に係る高精度基礎杭打設ガイドの第二実施形態を示す側面図である。
【図１０】第二実施形態の上部ガイド部材を示す平面図である。
【図１１】第二実施形態の上部ガイド部材を示す正面図である。
【図１２】第二実施形態の下部ガイド部材を示す平面図である。
【図１３】第二実施形態の下部ガイド部材を示す正面図である。
【図１４】第二実施形態の杭打設ガイドを使用して斜杭を打設する様子を示す図である。
【図１５】本発明に係る高精度基礎杭打設ガイドの第三実施形態を示す正面図である。
【図１６】本発明に係る高精度基礎杭打設ガイドの第二実施形態を示す側面図である。
【図１７】第三実施形態の上部ガイド部材を示す平面図である。
【図１８】第三実施形態の上部ガイド部材を示す正面図である。
【図１９】第三実施形態の下部ガイド部材を示す平面図である。
【図２０】第三実施形態の下部ガイド部材を示す正面図である。
【図２１】第三実施形態の杭打設ガイドを使用して斜杭を打設する様子を示す図である。
【図２２】接続部材を示す正面図である。
【図２３】接続部材を示す平面図である。
【図２４】接続部材を示す側面図である。
【図２５】スペーサーを示す正面図である。
【図２６】スペーサーを示す平面図である。
【図２７】スペーサーを示す側面図である。
【図２８】本発明に係る杭打設工法の一工程を示す平面図である。
【図２９】本発明に係る杭打設工法の一工程を示す正面図である。
【図３０】本発明に係る杭打設工法の一工程を示す平面図である。
【図３１】本発明に係る杭打設工法の一工程を示す正面図である。
【図３２】本発明に係る杭打設工法の一工程を示す平面図である。
【図３３】本発明に係る杭打設工法の一工程を示す正面図である。
【図３４】本発明に係る杭打設工法においてスペーサーを介装した状態を示す正面図である。
【図３５】本発明に係る杭打設工法により得られた防波堤の一構成要素を示す正面図である。
【図３６】本発明に係る杭打設工法により得られた防波堤の一構成要素を示す側面図である。
【図３７】本発明に係る杭打設工法により得られた防波堤を示す平面図である。
【図３８】本発明の第一実施形態の杭打設ガイドを使用して直杭を連続して打設する様子を示す平面図である。
【図３９】本発明の第二実施形態の杭打設ガイドを使用して斜杭を連続して打設する様子を示す平面図である。
【図４０】第一実施形態の杭打設ガイドを円弧状に連結した状態を示す平面図である。
【図４１】第三実施形態の杭打設ガイドを円弧状に連結した状態を示す平面図である。
【図４２】スペーサーを介装して杭打設ガイドを円弧状に連結した状態を示す平面図である。
【符号の説明】
１　　　杭打設ガイド
２　　　上部ガイド部材
３　　　下部ガイド部材
４　　　接続部材
７　　　杭ガイド部
８　　　ガイドローラ
Ｋ　　　杭
【図１】
2004019213.tif 000003
【図２】
2004019213.tif 000004
【図３】
2004019213.tif 000005
【図４】
2004019213.tif 000006
【図５】
2004019213.tif 000007
【図６】
2004019213.tif 000008
【図７】
2004019213.tif 000009
【図８】
2004019213.tif 000010
【図９】
2004019213.tif 000011
【図１０】
2004019213.tif 000012
【図１１】
2004019213.tif 000013
【図１２】
2004019213.tif 000014
【図１３】
2004019213.tif 000015
【図１４】
2004019213.tif 000016
【図１５】
2004019213.tif 000017
【図１６】
2004019213.tif 000018
【図１７】
2004019213.tif 000019
【図１８】
2004019213.tif 000020
【図１９】
2004019213.tif 000021
【図２０】
2004019213.tif 000022
【図２１】
2004019213.tif 000023
【図２２】
2004019213.tif 000024
【図２３】
2004019213.tif 000025
【図２４】
2004019213.tif 000026
【図２５】
2004019213.tif 000027
【図２６】
2004019213.tif 000028
【図２７】
2004019213.tif 000029
【図２８】
2004019213.tif 000030
【図２９】
2004019213.tif 000031
【図３０】
2004019213.tif 000032
【図３１】
2004019213.tif 000033
【図３２】
2004019213.tif 000034
【図３３】
2004019213.tif 000035
【図３４】
2004019213.tif 000036
【図３５】
2004019213.tif 000037
【図３６】
2004019213.tif 000038
【図３７】
2004019213.tif 000039
【図３８】
2004019213.tif 000040
【図３９】
2004019213.tif 000041
【図４０】
2004019213.tif 000042
【図４１】
2004019213.tif 000043
【図４２】
2004019213.tif 000044